(57)【要約】【課題】  バッファメモリのバッファ溢れを防止でき、撮像データの記録が不完全になることを防止できる動画撮像装置の提供。【解決手段】  動画撮像装置は、バッファメモリ（９）に蓄えられている撮像データのデータ量に応じ、形状の異なるグラフ画像２０を表示部４に表示する。バッファメモリに蓄えられているデータ量が０、０よりも大きく第１上限値以下、第１上限値よりも大きく第２上限値以下、及び第２上限値よりも大きく第３上限値以下の場合、動画撮像装置はグラフ画像２０を、グラフ枠画像部２１のみ、グラフ枠画像部２１及びバーグラフ画像部２２ａ、グラフ枠画像部２１及びバーグラフ画像部２２ａ，２２ｂ、並びにグラフ枠画像部２１及びバーグラフ画像部２２ａ，２２ｂ，２２ｃにて構成する。グラフ枠画像部２１はバッファメモリの全容量に応じており、形状が変化しない。【選択図】        図２
2006013727.tif 000002
【特許請求の範囲】
【請求項１】
動画を撮像する撮像手段と、該撮像手段が撮像した動画の撮像データを蓄えるバッファメモリと、前記撮像データに基づく映像を表示する表示部とを備え、前記バッファメモリに蓄えられた撮像データを記録媒体に記録するようにしてある動画撮像装置において、
前記バッファメモリに蓄えられている撮像データのデータ量を検出する検出手段を備え、
該検出手段が検出したデータ量を前記表示部に表示するようにしてある
ことを特徴とする動画撮像装置。
【請求項２】
前記検出手段が検出したデータ量に応じたグラフ画像を作成する作成手段を更に備え、
該作成手段が作成したグラフ画像を前記表示部に表示するようにしてある
ことを特徴とする請求項１に記載の動画撮像装置。
【請求項３】
前記グラフ画像は、前記バッファメモリの全容量に応じたグラフ枠画像部と、該グラフ枠画像部に収まるバーグラフ画像部とからなることを特徴とする請求項２に記載の動画撮像装置。
【請求項４】
前記作成手段は、前記検出手段が検出したデータ量に応じて、１又は複数の固定グラフ画像と、１つの変動グラフ画像とからなるグラフ画像を作成するようにしてあることを特徴とする請求項２又は３に記載の動画撮像装置。
【請求項５】
前記グラフ画像は、１又は複数の色を有することを特徴とする請求項２又は３に記載の動画撮像装置。
【請求項６】
前記検出手段が検出したデータ量に基づいて、前記バッファメモリの使用割合を算出する算出手段を更に備え、
該算出手段が算出した使用割合の数値を前記表示部に表示するようにしてある
ことを特徴とする請求項１に記載の動画撮像装置。
【発明の詳細な説明】
【技術分野】
【０００１】
本発明は、動画の撮像データをバッファメモリに蓄えてから記録媒体に記録する動画撮像装置に関し、より詳細には、記録処理に係る種々の不具合を使用者に排除させるように、撮像データがバッファメモリから記録媒体に快調に記録されているか否かの指標を提示する動画撮像装置に関する。
【背景技術】
【０００２】
従来の撮像装置は、撮像して生成した撮像データを圧縮符号化してバッファメモリに一旦蓄積してから記録媒体に記録する（例えば、特許文献１）。このような撮像装置では、半導体メモリの他、特に動画の撮像機能を有するものには大容量の記録が可能なハードディスクを記録媒体として用いている場合が多い。
【特許文献１】特開平１０−７９８７８号公報
【発明の開示】
【発明が解決しようとする課題】
【０００３】
しかしながら、ハードディスクは回転してデータを記録するため、記録中に与えられる振動（手ぶれ、衝撃又はその他の要因等）によってハードディスクの回転が停止する場合がある。また、ハードディスクの回転が停止するに至らなくても、ハードディスクの内部で書き込みが繰返されること（リトライ処理）に起因し、記録処理効率が著しく低下する場合がある。この場合、撮像データはバッファメモリに順次蓄えられていくが、バッファメモリに蓄えられたデータ量がバッファメモリの全容量を超える前にハードディスクの回転制御が復帰し、又はリトライ処理を終え、通常の記録処理効率に復帰し、ハードディスクへの記録が再開されない限り、バッファ溢れが生じて撮像データの一部が損失する、つまり撮像データの記録が不完全になる、又は動画の圧縮符号化の方法によっては、その時点で撮影を停止する必要を生じるという問題がある。
【０００４】
また、撮像の目的、対象又は時間長によって、生成される撮像データのデータ量が異なるため、ハードディスクでは撮像データの記録／削除を繰り返していく間に、撮像データを記録する物理アドレス（タイムスタンプ及び撮像データを記録する順番と対応付けられているプラッタ上の物理的な位置（サーフェイス番号、トラック番号及びセクタ））が不連続となる。このため、バッファメモリからハードディスクへの記録処理効率が低下し、前述したようなバッファ溢れを招いて撮像データの記録が不完全になる、又は撮影処理を停止する必要が生じる虞があるという問題がある。
【０００５】
本発明は斯かる問題に鑑みてなされたものであり、その目的とするところは、バッファメモリに蓄えられている撮像データのデータ量を検出して表示部に表示する構成とすることにより、撮像データの記録が不完全になること、又は撮影処理を途中で停止することを防止でき、１）回転する記録媒体に与えられている振動・衝撃の程度、２）記録媒体を初期化すること（フォーマットすること）の要否の２つを使用者に判断させることができる動画撮像装置を提供することにある。
【０００６】
本発明の他の目的は、検出したデータ量に応じて作成したグラフ画像、又は検出したデータ量に基づいて算出したバッファメモリの使用割合を示す数値を表示部に表示する構成とすることにより、記録処理に係る種々の不具合を使用者に容易に認識させることができる動画撮像装置を提供することにある。
【０００７】
本発明の他の目的は、グラフ画像をグラフ枠画像部及びバーグラフ画像部で構成することにより、記録処理に係る種々の不具合を使用者により容易に認識させることができる動画撮像装置を提供することにある。
【０００８】
本発明の他の目的は、グラフ画像を固定的な部分及び変動的な部分で構成することにより、記録処理に係る種々の不具合を使用者に感覚的に認識させることができる動画撮像装置を提供することにある。
【０００９】
本発明の更に他の目的は、グラフ画像を１又は複数の色にて構成することにより、記録処理に係る種々の不具合を使用者に直感的に認識させることができる動画撮像装置を提供することにある。
【課題を解決するための手段】
【００１０】
本発明に係る動画撮像装置は、動画を撮像する撮像手段と、該撮像手段が撮像した動画の撮像データを蓄えるバッファメモリと、前記撮像データに基づく映像を表示する表示部とを備え、前記バッファメモリに蓄えられた撮像データを記録媒体に記録するようにしてある動画撮像装置において、前記バッファメモリに蓄えられている撮像データのデータ量を検出する検出手段を備え、該検出手段が検出したデータ量を前記表示部に表示するようにしてあることを特徴とする。
【００１１】
本発明にあっては、バッファメモリに蓄えられている撮像データのデータ量（サイズ）を検出して表示部に表示する。表示部に表示される内容は、撮像データのデータ量の検出及び表示という一連の動作を繰り返すことにより周期的に変化する。
【００１２】
本発明に係る動画撮像装置においては、前記検出手段が検出したデータ量に応じたグラフ画像を作成する作成手段を更に備え、該作成手段が作成したグラフ画像を前記表示部に表示するようにしてあることを特徴とする。
【００１３】
本発明にあっては、検出したバッファメモリに蓄えられている撮像データのデータ量に応じたグラフ画像を作成して表示部に表示する。よって、検出したデータ量が少ない／多い程、小さい／大きい形状（面積）のグラフ画像が表示部に表示される。
【００１４】
本発明に係る動画撮像装置においては、前記グラフ画像は、前記バッファメモリの全容量に応じたグラフ枠画像部と、該グラフ枠画像部に収まるバーグラフ画像部とからなることを特徴とする。
【００１５】
本発明にあっては、検出したバッファメモリに蓄えられている撮像データのデータ量に応じたバーグラフ画像部を、グラフ枠画像部の内側に配置した形態のグラフ画像を作成して表示部に表示する。よって、検出したデータ量が少ない／多い程、小さい／大きい形状のバーグラフ画像部がバッファメモリの使用割合として表示部に表示される。
【００１６】
本発明に係る動画撮像装置においては、前記作成手段は、前記検出手段が検出したデータ量に応じて、１又は複数の固定グラフ画像と、１つの変動グラフ画像とからなるグラフ画像を作成するようにしてあることを特徴とする。
【００１７】
本発明にあっては、検出したバッファメモリに蓄えられている撮像データのデータ量に応じて、１又は複数の固定グラフ画像と、１つの変動グラフ画像とにて構成されるグラフ画像を作成して表示部に表示する。よって、検出したデータ量の変動は、変動グラフ画像の形状の変化と、検出したデータ量の略全量を示す固定グラフ画像の個数の増減とによって表され、検出したデータ量が少ない／多い程、表示部に表示される固定グラフ画像の個数は少なく／多くなる。
【００１８】
本発明に係る動画撮像装置においては、前記グラフ画像は、１又は複数の色を有することを特徴とする。
【００１９】
本発明にあっては、検出したバッファメモリに蓄えられている撮像データのデータ量に応じて、１又は複数の色を有するグラフ画像を作成して表示部に表示する。
【００２０】
例えば、検出したデータ量がバッファメモリの全容量のａ％以下／ａ％よりも大きくｂ（＞ａ）％以下／ｂ％よりも大きくｃ（＞ｂ）％以下のデータ量である場合に、第１形態として、第１色の１色のみからなるグラフ画像／第１色及び第２色の２色からなるグラフ画像／第１色、第２色及び第３色の３色からなるグラフ画像を作成して表示部に表示する。よって、第１形態では、検出したデータ量が少ない／多い程、小さい／大きい形状、かつ少ない／多い種類の色を有するグラフ画像が表示部に表示される。
【００２１】
また、検出したデータ量がバッファメモリの全容量のａ％以下／ａ％よりも大きくｂ％以下／ｂ％よりも大きくｃ％以下のデータ量である場合に、第２形態として、第１色の１色のみからなるグラフ画像／第２色の１色のみからなるグラフ画像／第３色の１色のみからなるグラフ画像を作成して表示部に表示する。つまり第２形態では、検出したデータ量に応じて、形状だけでなく、全体の色を変更したグラフ画像を表示部に表示する。
【００２２】
本発明に係る動画撮像装置においては、前記検出手段が検出したデータ量に基づいて、前記バッファメモリの使用割合を算出する算出手段を更に備え、該算出手段が算出した使用割合の数値を前記表示部に表示するようにしてあることを特徴とする。
【００２３】
本発明にあっては、検出したバッファメモリに蓄えられている撮像データのデータ量に基づいて算出したバッファメモリの使用割合を示す数値を表示部に表示する。例えば、算出したバッファメモリの使用割合が３０％である場合には、「３０」の数値を表示部に表示する。よって、検出したデータ量が少ない／多い程、小さい数値／大きい数値が表示部に表示される。
【発明の効果】
【００２４】
本発明によれば、撮像データのバッファメモリから記録媒体への記録処理効率の指標を視覚的に提示することができるため、撮像時に、回転する記録媒体に与えられている振動・衝撃の程度を使用者に判断させることができ、撮像時に伴う振動・衝撃を低減させるよう促すことができる。よって、記録処理中に記録媒体の回転が停止すること、又は記録のリトライ処理が繰返し行われることを防止できると共に、バッファメモリでのバッファ溢れの発生を防止でき、撮像データの記録が不完全になること、又は撮影処理を途中で停止することを防止することができる。
【００２５】
しかも、撮像データのバッファメモリから記録媒体への記録処理効率の指標を視覚的に提示することができるため、回転する記録媒体を初期化することの要否を使用者に判断させることもできる。したがって、使用者が必要に応じて記録媒体を初期化した場合には、一旦低減した記録処理効率を回復することができるため、これによってもバッファメモリでのバッファ溢れの発生を防止でき、撮像データの記録が不完全になること、又は撮影処理を途中で停止することを防止することができる。
【００２６】
また、本発明によれば、表示部に表示されたグラフ画像の形状又は数値の大きさにより、撮像時に伴う振動・衝撃、又は撮像条件によっては撮像データの記録先である記録媒体上の物理アドレスが著しく不連続になっている等の記録処理に係る種々の不具合を使用者に容易に認識させることができる。
【００２７】
また、本発明によれば、グラフ画像をバッファメモリの使用割合として表示することができるため、使用者にバッファメモリの使用量の程度をより容易に確認させることができ、前述したような記録処理に係る種々の不具合をより容易に認識させることができる。
【００２８】
また、本発明によれば、バッファメモリに蓄えられている撮像データのデータ量の略全量及び変化量をそれぞれ、固定グラフ画像の個数及び変動グラフ画像にて表すことができるため、前述したような記録処理に係る種々の不具合を使用者に感覚的に認識させることができる。
【００２９】
更に、本発明によれば、検出したデータ量に応じて、部分的に異なる色を有するグラフ画像、又は全体の表示色を変更したグラフ画像を表示することができるため、前述したような記録処理に係る種々の不具合を使用者に直感的に認識させることができる。
【発明を実施するための最良の形態】
【００３０】
以下に、本発明の動画撮像装置をデジタルスチルカメラに適用した場合の実施の形態について図面を用いて詳細に説明する。
【００３１】
（実施の形態１）
図１は本発明の実施の形態１に係る動画撮像装置の構成を示すブロック図である。図において、６は静止画及び動画の撮像に係る処理を行う撮像部であり、撮像レンズ６ａ、撮像素子６ｂ及びレンズ駆動部６ｃを備える。撮像レンズ６ａは、直方体状をなす装置筐体の正面に設けられており、レンズ駆動部６ｃは、撮像レンズ６ａを長焦点側又は短焦点側へ移動する。撮像素子６ｂは、撮像レンズ６ａにて集光された像をアナログの電気信号（アナログの撮像データ）に変換してカメラ信号処理部７へ出力する。
【００３２】
表示部４は液晶パネルからなり、装置筐体の撮像レンズ６ａが設けられている正面と反対側の背面に設けられている。表示部４は撮像している画像（映像）、撮像して記録した撮像データに基づく画像（静止画又は動画）、装置の動作状態、使用者に対する操作指示、ＲＯＭ２に格納してある各種メニューデータに基づく各種メニュー、及び本発明に特徴であるバッファメモリ９に蓄えられているデータ量等の表示を行う。
【００３３】
操作部５は、装置筐体の上面に設けられているシャッターボタン５ａ、並びに装置筐体の背面に設けられているレンズ移動ボタン５ｂ、記録ボタン５ｃ、停止ボタン５ｄ、休止ボタン５ｅ、メニューボタン５ｆ、上下左右ボタン５ｇ及び決定ボタン５ｈ等からなる。
【００３４】
レンズ移動ボタン５ｂは撮像レンズ６ａを長焦点側又は短焦点側へ移動させる指示の入力を受け付ける。シャッターボタン５ａは撮像した画像を静止画として記録する指示の入力を受け付け、記録ボタン５ｃは撮像した画像を動画として記録する指示の入力を受け付ける。停止ボタン５ｄは動画の記録及び再生を停止する指示の入力を受け付け、休止ボタン５ｅは動画の記録及び再生を休止（一時停止）する指示の入力を受け付ける。メニューボタン５ｆは各種メニューを表示部４に表示する指示の入力を受け付ける。上下左右ボタン５ｇはメニューの内容及び撮像して記録した撮像データに基づく画像（静止画／動画）を選択する指示の入力を受け付け、決定ボタン５ｈは選択したメニューの内容の決定及び画像の表示を行う指示の入力を受け付ける。
【００３５】
カメラ信号処理部７は撮像部６の撮像素子６ｂから入力されたアナログの撮像データをＡ／Ｄ変換してデジタルの撮像データを生成し、生成した撮像データに対して、撮像部６の結像系／撮像系で生じる各種の歪みを取り除く処理、及び光源の色温度に基づくホワイトバランスの調整処理等の画像処理を行ってから圧縮処理部８へ出力する一方、表示部４へも出力する。これにより、撮像している画像（映像）が表示部４にて表示される。
【００３６】
圧縮処理部８はカメラ信号処理部７から入力された撮像データをＪＰＥＧ（Joint Photographic Experts Group）方式を用いて圧縮し、バッファメモリ９へ出力する。なお、圧縮して生成される撮像データは、静止画の場合には一枚の静止画フレームにて構成され、動画の場合には時系列に連続する複数枚（例えば一秒間当たり１５枚）の静止画フレームにて構成される。バッファメモリ９は圧縮処理部８から入力された撮像データを一旦蓄えてから記録装置１０へ出力する。
【００３７】
記録装置１０はバッファメモリ９から入力された撮像データをハードディスク（プラッタ）１０ａに記録する。また、記録装置１０はハードディスク１０ａに記録してある撮像データを読み出してバッファメモリ９へ出力し、バッファメモリ９は記録装置１０から入力された撮像データを表示部４へ出力する。これにより、撮像して記録した撮像データに基づく画像（静止画又は動画）が表示部４にて表示される。
【００３８】
以上の動画撮像装置が備えるハードウェア各部の動作は、ＭＰＵにて構成される制御部１がＲＯＭ２に格納してある制御プログラムを実行することにより制御される。制御部１による制御プログラムの実行時に発生するデータはＲＡＭ３に一時的に記憶される。
【００３９】
ＲＯＭ２には制御プログラム及び各種メニューデータの他、記録中にバッファメモリ９に蓄えられている撮像データのデータ量を検出し、検出したデータ量に応じたグラフ画像を作成するためのデータも予め格納されている。よって制御部１は、記録中にバッファメモリ９に蓄えられている撮像データのデータ量を適宜のタイミングで検出し、検出したデータ量に応じたグラフ画像を作成して表示部４へ転送する。これにより、制御部１が作成したグラフ画像が表示部４に表示される。
【００４０】
図２は表示部４に表示されるバッファメモリ９の使用割合を表すグラフ画像２０の例を示す模式図である。グラフ画像２０は、バッファメモリ９の全容量に応じており、形状が一定の縦長矩形のグラフ枠画像部２１と、グラフ枠画像部２１に収まり、バッファメモリ９に蓄えられている圧縮済の撮像データのデータ量に応じて長さが増減するバーグラフ画像部２２ａ（緑色），２２ｂ（黄色），２２ｃ（赤色）とにより構成され、横長矩形の表示部４の右側に表示される。なお、グラフ枠画像部２１は枠部のみの画像であるため、グラフ枠画像部２１の内部に存在するバーグラフ画像部２２ａ，２２ｂ，２２ｃ以外の領域は半透明処理で映像が表示される。
【００４１】
単に撮像しているだけで動画の記録を行っていない場合、バッファメモリ９には撮像データが蓄えられていないため、図２（ａ）に示すように、グラフ枠画像部２１のみがグラフ画像２０として表示部４に表示される。
【００４２】
一方、動画の記録を開始し、バッファメモリ９に蓄えられている撮像データのデータ量が第１上限値（バッファメモリ９の全容量の６０％）以下である場合には、図２（ｂ），（ｃ）に示すように、グラフ枠画像部２１、及びデータ量に応じた長さのバーグラフ画像部２２ａがグラフ画像２０として表示部４に表示される。図２（ｃ）に示すバーグラフ画像部２２ａは、図２（ｂ）に示すバーグラフ画像部２２ａよりも短く、バッファメモリ９に蓄えられているデータ量がハードディスク１０ａに記録された分だけ減少していることを示している。
【００４３】
また、動画の記録を開始し、バッファメモリ９に蓄えられている撮像データのデータ量が第１上限値よりも大きく第２上限値（バッファメモリ９の全容量の９０％）以下である場合には、図２（ｄ）に示すように、グラフ枠画像部２１、バーグラフ画像部２２ａ及びバーグラフ画像部２２ｂがグラフ画像２０として表示部４に表示される。ただしこの場合においては、バーグラフ画像部２２ａの長さは、バッファメモリ９の全容量の６０％のデータ量に相当して固定的であるのに対し、バーグラフ画像部２２ｂの長さは、バッファメモリ９に蓄えられている撮像データのデータ量及び第１上限値の差分のデータ量に相当して増減する。
【００４４】
更にまた、動画の記録を開始し、バッファメモリ９に蓄えられている撮像データのデータ量が第２上限値よりも大きく第３上限値（バッファメモリ９の全容量）以下である場合には、図２（ｅ）に示すように、グラフ枠画像部２１、バーグラフ画像部２２ａ、バーグラフ画像部２２ｂ及びバーグラフ画像部２２ｃがグラフ画像２０として表示される。ただしこの場合においては、バーグラフ画像部２２ａ及びバーグラフ画像部２２ｂの長さはそれぞれ、バッファメモリ９の全容量の６０％及び３０％に相当して固定的であるのに対し、バーグラフ画像部２２ｃの長さは、バッファメモリ９に蓄えられている撮像データのデータ量及び第２上限値の差分のデータ量に相当して増減する。
【００４５】
なお、実施の形態１においては、グラフ枠画像部２１内に配置されるバーグラフ画像部を、部分的に異なる色にて構成したが、これに限らず、例えばバッファメモリ９に蓄えられている撮像データのデータ量が第１上限値以下／第１上限値よりも大きく第２上限値以下／第２上限値よりも大きく第３上限値以下の場合には、緑色のみ／黄色のみ／赤色のみというように全体を１色とし、バッファメモリ９に蓄えられている撮像データのデータ量に応じて色の種類を変更する構成としてもよい。
【００４６】
また、実施の形態１においては、バッファメモリ９が蓄えるデータ量に関して規定する上限値の個数を３個としたが、これに限らず、ｎ個（ｎは２以上の整数）であってもよい。
【００４７】
また、実施の形態１においては、グラフ画像枠部２１を用いてグラフ画像２０を構成したが、これに限らず、グラフ枠画像部２１を用いることなく、バーグラフ画像部２２ａ乃至バーグラフ画像部２２ｃにてグラフ画像２０を構成してもよい。
【００４８】
以上の如き構成の本発明の実施の形態１に係る動画撮像装置の制御部１による動画の撮像データの記録処理の手順を図３のフローチャートを用いて説明する。
【００４９】
まず制御部１は、動画の記録開始指示の入力として記録ボタン５ｃの押圧を監視する（Ｓ１０）。記録ボタン５ｃが押圧されない場合（Ｓ１０：ＮＯ）には、制御部１は押圧の監視を続行する。一方、記録ボタン５ｃが押圧された場合（Ｓ１０：ＹＥＳ）には、制御部１は、撮像レンズ６ａの結像により撮像素子６ｂが生成したアナログの撮像データを、カメラ信号処理部７にてＡ／Ｄ変換して適宜の画像処理を施す（Ｓ２０）。
【００５０】
次に制御部１は、画像処理が施されたデジタルの撮像データに基づく映像を表示部４に表示する（Ｓ３０）。続いて制御部１は、画像処理が施されたデジタルの撮像データを圧縮処理部８にて圧縮し（Ｓ４０）、次いで圧縮した撮像データをバッファメモリ９に一旦蓄えてから記録装置１０のハードディスク１０ａに記録する（Ｓ５０）。
【００５１】
次に制御部１は、表示処理を行う（Ｓ６０）。以下、本発明の実施の形態１に係る表示処理について説明する。図４は本発明の実施の形態１に係る動画撮像装置の制御部１によるバッファメモリ９の使用割合の表示処理の手順を示すフローチャートであり、図３のフローチャートに係るサブルーチンである。
【００５２】
まず制御部１は、バッファメモリ９に蓄えられている撮像データのデータ量を検出する（Ｓ６１）。続いて制御部１は、検出したデータ量に応じたグラフ画像２０を作成し（Ｓ６２）、次いで作成したグラフ画像２０を表示部４に表示する（Ｓ６３）。これにより、図２（ｂ）〜（ｅ）に示すいずれかのタイプのグラフ画像２０が表示部４に表示される。
【００５３】
以上の表示処理（Ｓ６１〜Ｓ６３）を行った後、制御部１は、図３のメインルーチンへ戻り、記録休止指示の入力として休止ボタン５ｅ、又は記録終了指示の入力として停止ボタン５ｄのいずれが押圧されるかを監視する（Ｓ７０）。ステップＳ７０において休止ボタン５ｅ又は停止ボタン５ｄがいずれも押圧されない場合には、制御部１はステップＳ２０へ移行して以降の処理を繰り返す。ステップＳ７０において停止ボタン５ｄが押圧された場合には、制御部１は処理を終了する。
【００５４】
ステップＳ７０において休止ボタン５ｅが押圧された場合には、制御部１は撮像レンズ６ａの結像により撮像素子６ｂが生成したアナログの撮像データを、カメラ信号処理部７にてＡ／Ｄ変換して適宜の画像処理を施し（Ｓ８０）、次いで画像処理が施されたデジタルの撮像データに基づく映像を表示部４に表示する（Ｓ９０）。
【００５５】
続いて制御部１は、記録再開指示の入力として休止ボタン５ｅ、又は記録終了指示の入力として停止ボタン５ｄのいずれが押圧されるかを監視する（Ｓ１００）。ステップＳ１００において休止ボタン５ｅ又は停止ボタン５ｄがいずれも押圧されない場合には、制御部１はステップＳ８０へ移行して以降の処理を繰り返す。ステップＳ１００において休止ボタン５ｅが押圧された場合には、制御部１はステップＳ２０へ移行して以降の処理を繰り返す。ステップＳ１００において停止ボタン５ｄが押圧された場合には、制御部１は処理を終了する。
【００５６】
（実施の形態２）
本発明の実施の形態２に係る動画撮像装置の構成は、制御部１の制御も含め、実施の形態１と同様であり、バッファメモリ９の使用割合を表すグラフ画像の表示部４における表示形態が異なる。以下、これについて説明する。
【００５７】
図５は表示部４に表示されるバッファメモリ９の使用割合を表すグラフ画像３０の例を示す模式図である。グラフ画像３０は、１個以上の固定グラフ画像３１（青色）と、１個の変動グラフ画像３２（青色）とからなる。固定グラフ画像３１は、１個分でバッファメモリ９の全容量の５％に相当するデータ量を表し、変動グラフ画像３２は、バッファメモリ９の全容量の５％未満に相当するデータ量を表す。
【００５８】
グラフ画像３０は、横長矩形の表示部４の右側に表示される。固定グラフ画像３１は横長矩形であり、縦列配置され、変動グラフ画像３２は固定グラフ画像３１の長手方向に対して長さが増減する矩形であり、最上段の固定グラフ画像３１の上部に配置される。
【００５９】
動画の記録を開始し、バッファメモリ９に蓄えられている撮像データのデータ量がバッファメモリ９の全容量の３７％である場合には、図５（ａ）に示すように、バッファメモリ９の全容量の３５％（＝５％×７）を表す７個の固定グラフ画像３１と、バッファメモリ９の全容量の２％（＝３７％−３５％）を表す１個の変動グラフ画像３２とがグラフ画像３０として表示部４に表示される。
【００６０】
同様に、動画の記録を開始し、バッファメモリ９に蓄えられている撮像データのデータ量がバッファメモリ９の全容量の６４％である場合には、図５（ｂ）に示すように、バッファメモリ９の全容量の６０％（＝５％×１２）を表す１２個の固定グラフ画像３１と、バッファメモリ９の全容量の４％（＝６４％−６０％）を表す１個の変動グラフ画像３２とがグラフ画像３０として表示部４に表示される。
【００６１】
なお、バッファメモリ９に蓄えられている撮像データのデータ量がバッファメモリ９の全容量の５％未満／１００％である場合には、グラフ画像３０は１個の変動グラフ画像３２のみ／２０個の固定グラフ画像３１のみにて構成される。
【００６２】
（実施の形態３）
本発明の実施の形態３に係る動画撮像装置の構成は、実施の形態１と同様であり、バッファメモリ９の使用割合の表示処理が異なる。以下、これについて説明する。
【００６３】
ＲＯＭ２には制御プログラム及び各種メニューデータの他、記録中にバッファメモリ９に蓄えられている撮像データのデータ量を検出し、検出したデータ量に基づいてバッファメモリ９の使用割合を算出するためのデータも予め格納されている。よって制御部１は、記録中にバッファメモリ９に蓄えられている撮像データのデータ量を適宜のタイミングで検出し、検出したデータ量に基づいて算出した使用割合の数値を表示部４に表示する。
【００６４】
図６は表示部４に表示されるバッファメモリ９の使用割合の数値の例を示す模式図である。バッファメモリ９の使用割合が３０％である場合には、「３０」の数値を表示部４の右上角部に表示する。なお、表示部４に表示される数値は、バッファメモリ９の使用割合に応じて「０」から「１００」の間で増減する。また、表示部４に数値が表示される領域は右上角部としたが、これに限らず、他の領域であってもよい。
【００６５】
以下、本発明の実施の形態３に係る動画撮像装置の制御部１によるバッファメモリ９の使用割合の表示処理の手順を図７のフローチャートを用いて説明する。なお、図７は図３のフローチャートに係るサブルーチンである。
【００６６】
まず制御部１は、撮像データの記録処理（図３のＳ５０）を行った後、バッファメモリ９に蓄えられている撮像データのデータ量を検出する（Ｓ６４）。続いて制御部１は、検出したデータ量に基づいて、バッファメモリ９の使用割合を算出し（Ｓ６５）、次いで算出したバッファメモリ９の使用割合の数値を表示部４に表示する（Ｓ６６）。これにより、図６に示すような数値が表示部４に表示される。
【００６７】
以上の表示処理（Ｓ６４〜Ｓ６５）を行った後、制御部１は図３のメインルーチンへ戻り、ステップＳ７０へ処理を移行する。
【００６８】
なお、実施の形態３においては、バッファメモリ９の使用割合の数値を単に表示部４に表示する構成としたが、これに限らず、バッファメモリ９の使用割合に応じて数値の色を変更して（例えば、バッファメモリ９の使用割合が６０％以下、６０％よりも大きく９０％以下、及び９０％よりも大きく１００％以下の場合にはそれぞれ、緑色、黄色及び赤色の数値を）表示部４に表示する構成としてもよい。
【００６９】
（実施の形態４）
図８は本発明の実施の形態４に係る動画撮像装置の構成を示すブロック図である。図に示す動画撮像装置は、緑色のＬＥＤ１１ａ，１１ｂ，１１ｃ、黄色のＬＥＤ１１ｄ，１１ｅ、及び赤色のＬＥＤ１１ｆを備える。
【００７０】
図９は表示部４及びＬＥＤ１１ａ〜１１ｆの配置関係を示す模式図である。表示部４及びＬＥＤ１１ａ〜１１ｆは共に、直方体状をなす装置筐体の撮像レンズ６ａが設けられている正面と反対側の背面に設けられており、ＬＥＤ１１ａ〜１１ｆは、表示部４の外部の右側に縦列配置されている。なお、配置されるＬＥＤの色及び数をそれぞれ３色及び６個としたが、これに限るものではない。
【００７１】
ＲＯＭ２には制御プログラム及び各種メニューデータの他、記録中にバッファメモリ９に蓄えられている撮像データのデータ量を検出し、検出したデータ量に基づいてバッファメモリ９の使用割合を算出してＬＥＤ１１ａ〜１１ｆのいずれかを点灯するためのデータも予め格納されている。よって制御部１は、記録中にバッファメモリ９に蓄えられている撮像データのデータ量を適宜のタイミングで検出し、検出したデータ量に基づいて算出した使用割合に応じた個数のＬＥＤ１１を点灯する。
【００７２】
その他の構成については、図１に示す動画撮像装置の構成と同様であるので、同様の部分については同一の符号を付して説明を省略する。
【００７３】
以下、本発明の実施の形態４に係る動画撮像装置の制御部１によるバッファメモリ９の使用割合の表示処理の手順を図１０のフローチャートを用いて説明する。なお、図１０は図３のフローチャートに係るサブルーチンである。
【００７４】
まず制御部１は、撮像データの記録処理（図３のＳ５０）を行った後、バッファメモリ９に蓄えられている撮像データのデータ量を検出する（Ｓ６７）。続いて制御部１は、検出したデータ量に基づいて、バッファメモリ９の使用割合を算出し（Ｓ６８）、次いで算出したバッファメモリ９の使用割合に応じた個数のＬＥＤ１１を点灯する（Ｓ６９）。
【００７５】
具体的には、制御部１は、バッファメモリ９の使用割合が０％よりも大きく２０％以下である場合にはＬＥＤ１１ａを点灯し、バッファメモリ９の使用割合が２０％よりも大きく４０％以下である場合には、ＬＥＤ１１ａ，１１ｂを点灯し、バッファメモリ９の使用割合が４０％よりも大きく６０％以下である場合には、ＬＥＤ１１ａ〜１１ｃを点灯する。
【００７６】
同様に制御部１は、バッファメモリ９の使用割合が６０％よりも大きく７５％以下である場合には、ＬＥＤ１１ａ〜１１ｄを点灯し、バッファメモリ９の使用割合が７５％よりも大きく９０％以下である場合には、ＬＥＤ１１ａ〜１１ｅを点灯し、バッファメモリ９の使用割合が９０％よりも大きく１００％以下である場合には、ＬＥＤ１１ａ〜１１ｆを点灯する。
【００７７】
以上の表示処理（Ｓ６７〜Ｓ６９）を行った後、制御部１は図３のメインルーチンへ戻り、ステップＳ７０へ処理を移行する。
【００７８】
以上のように実施の形態４では、バッファメモリ９の使用割合（バッファメモリ９に蓄えられている撮像データのデータ量）を表示部４の外部に配置されたＬＥＤ１１ａ〜１１ｆの点灯により提示するため、実施の形態１乃至３とは異なり、映像の一部を隠すことなく完全な状態で表示部４に表示することができる。言い換えれば、実施の形態４のように適宜の個数のＬＥＤを設け、ＬＥＤの点灯形態を制御することにより、表示部４を備えない動画撮像装置に対してもバッファメモリ９の使用割合を提示することができる。
【００７９】
なお、前述した実施の形態１乃至４においては、本発明の動画撮像装置をデジタルスチルカメラに適用したが、これに限らず、動画の撮像データをＭＰＥＧ（Motion Picture Experts Group）−２方式を用いて圧縮して記録するデジタルビデオカメラに適用してもよい。また、圧縮方式は、ＪＰＥＧ、ＭＰＥＧ−２方式以外の方式であってもよい。
【図面の簡単な説明】
【００８０】
【図１】本発明の実施の形態１に係る動画撮像装置の構成を示すブロック図である。
【図２】表示部に表示されるバッファメモリの使用割合を表すグラフ画像の例を示す模式図である。
【図３】本発明の実施の形態１に係る動画撮像装置の制御部による動画の撮像データの記録処理の手順を示すフローチャートである。
【図４】本発明の実施の形態１に係る動画撮像装置の制御部によるバッファメモリの使用割合の表示処理の手順を示すフローチャートである。
【図５】表示部に表示されるバッファメモリの使用割合を表すグラフ画像の例を示す模式図である。
【図６】表示部に表示されるバッファメモリの使用割合の数値の例を示す模式図である。
【図７】本発明の実施の形態３に係る動画撮像装置の制御部によるバッファメモリの使用割合の表示処理の手順を示すフローチャートである。
【図８】本発明の実施の形態４に係る動画撮像装置の構成を示すブロック図である。
【図９】表示部及びＬＥＤの配置関係を示す模式図である。
【図１０】本発明の実施の形態４に係る動画撮像装置の制御部によるバッファメモリの使用割合の表示処理の手順を示すフローチャートである。
【符号の説明】
【００８１】
１  制御部
２  ＲＯＭ
４  表示部
６  撮像部
６ａ  撮像レンズ
６ｂ  撮像素子
６ｃ  レンズ駆動部
８  圧縮処理部
９  バッファメモリ
１０  記録装置
１０ａ  ハードディスク
２０，３０  グラフ画像
２１  グラフ枠画像部
２２ａ，２２ｂ，２２ｃ  バーグラフ画像部
３１  固定グラフ画像
３２  変動グラフ画像
【図１】
2006013727.tif 000003
【図２】
2006013727.tif 000004
【図３】
2006013727.tif 000005
【図４】
2006013727.tif 000006
【図５】
2006013727.tif 000007
【図６】
2006013727.tif 000008
【図７】
2006013727.tif 000009
【図８】
2006013727.tif 000010
【図９】
2006013727.tif 000011
【図１０】
2006013727.tif 000012